(57)【特許請求の範囲】
【請求項１】
内部ボトル（１０）が外部ボトル（２０）の昇降軸（２１）に結合されて上下に昇降され、上記昇降軸（２１）の上端には支持栓（２２）が結合されて、その上端にガムが一つずつ上げられ、上げられたガムは内部ボトル（１０）と緊密に結合された蓋（３０）に穿孔された抽出孔（３１）から露出され、上記昇降軸（２１）は外部ボトル（２０）と一体に射出成型され、内部ボトル（１０）に収納されたガムに発生される湿気を取り除くために吸湿剤が収容できるように上記昇降軸（２１）は所定間隔に切開空間を有するようにそれぞれの切開片（２１ａ）に形成されて、その内部に吸湿剤が収容されるようになり、上記昇降軸の上端には着脱可能な支持栓を結合して、支持栓によって内部ボトルが任意に離脱されないようにし、上記昇降軸（２１）を構成するそれぞれの切開片（２１ａ）は切開された部分の辺では厚く形成され、その中央は薄く形成されることを特徴とする上下昇降によって引き出されるガム抽出容器。
【請求項２】
上記支持栓は切開片からなる昇降軸の上端に形成された結合段差（２１ｂ）に結合されることを特徴とする請求項１に記載の上下昇降によって引き出されるガム抽出容器。
【請求項３】
請求項１に記載の上下昇降によって引き出されるガム抽出容器であって、内部ボトル（１０）にガムが収納された状態で外部ボトル（２０）の昇降軸（２１）に結合されて上下に昇降され、上記昇降軸（２１）の上端には支持栓（２２）が結合されて、その上端にガムが一つずつ上げられ、上げられたガムは内部ボトル（１０）と緊密に結合された蓋（３０）に穿孔された抽出孔（３１）から露出され、上記蓋（３０）の抽出孔（３１）は切開線（３２ａ）を有する手引き部（３４）を有する切取栓（３２）によって塞がられた状態で、蓋（３０）と同時に成型され、上記蓋（３０）の手引き部（３４）の切開線（３２ａ）と連結される連結部（３３）には切開溝（３５）を形成することを特徴とする上下昇降によって引き出されるガム抽出容器。
【請求項４】
上記切開線（３２ａ）を形成する切取栓（３２）は蓋（３０）の上面より若干突出されることを特徴とする請求項３に記載の上下昇降によって引き出されるガム抽出容器。
【請求項５】
請求項１に記載の上下昇降によって引き出されるガム抽出容器であって、内部ボトル（１０）にガムが収納された状態で外部ボトル（２０）の昇降軸（２１）に結合されて上下に昇降され、上記昇降軸（２１）の上端には支持栓（２２）が結合されて、その上端にガムが一つずつ上げられ、上げられたガムは内部ボトル（１０）と緊密に結合された蓋（３０）に穿孔された抽出孔（３１）から露出され、上記蓋（３０）の抽出孔（３１）は切開線（３２ａ）を有する手引き部（３４）を有する切取栓（３２）によって塞がられた状態で蓋（３０）と同時に成型され、上記蓋（３０）の裏面では抽出孔（３１）が形成される部分の外側に所定角度開いた状態でそれぞれの辺からなる傾斜翼（３３）を形成することを特徴とする上下昇降によって引き出されるガム抽出容器。
【請求項６】
請求項１に記載の上下昇降によって引き出されるガム抽出容器であって、内部ボトル（１０）にガムが収納された状態で外部ボトル（２０）の昇降軸（２１）に結合されて上下に昇降され、上記昇降軸（２１）の上端には支持栓（２２）が結合されて、その上端にガムが一つずつ上げられ、上げられたガムは内部ボトル（１０）と緊密に結合された蓋（３０）に穿孔された抽出孔（３１）から露出され、上記昇降軸（２１）に結合されて昇降される内部ボトル（１０）の支持面（１１）には複数の貫通孔（１１ａ）を形成して、成型の容易性を提供し、且つ外部ボトル（２０）で上下に昇降の時に空気圧による問題点を解消するようにすることを特徴とする上下昇降によって引き出されるガム抽出容器。
【請求項７】
上記内部ボトルの支持面の裏面には昇降面と連結されるように補強骨材（１４）が形成されて、形態のよじれを防止することを特徴とする請求項６に記載の上下昇降によって引き出されるガム抽出容器。
【請求項８】
上記内部ボトルの支持面に形成される昇降面（１２）はその厚さを内部ボトル（１０）を構成する厚さより厚く形成されることを特徴とする請求項６または７に記載の上下昇降によって引き出されるガム抽出容器。
【発明の詳細な説明】
【技術分野】
【０００１】
本発明はガムボトルの上下昇降によってガムが自動に抽出されるガム抽出容器に関し、特に容器自体に密閉手段を備え、またガムの引き出しが一つずつ正確に引き出され、流通過程で容器が損なわれることなく、作動及び成型容易性を提供するためのものである。
【背景技術】
【０００２】
現在、キシリトールなど所定大きさに形成されたガムは、プラスチックで成型された容器に収納されて密閉して保管する。このような容器の短所は、必ず蓋を開いて指を容器の中に入れて取り出すかまたは容器を持ち上げて所定の量だけ取り出して取食する。この場合、所望の数を正確に取り出すことができないという短所があり、故に単純な容器に過ぎないものである。
【０００３】
従って、本出願人による実用新案登録第４２４９２９号では、このような問題点を改善するために、ガムボトルを内部ボトルと外部ボトルとに分けて、内部ボトルを昇降するようにする場合に、ガムが一つずつ引き出されるようにすることを提供した。
【０００４】
しかしながら、このような構造が、内部ボトル１０にガムを収納した状態で、外部ボトル２０の昇降軸２１に結合して上下に昇降させる場合に、昇降軸２１の上端に結合された支持栓２２にガムが一つずつ上げられながら内部ボトル１０と結合された蓋３０に穿孔された抽出孔３１からガムが一つずつ露出されながら取食が可能になる。
【０００５】
しかし、このような構造の短所は、ガムが内部ボトルに収納されている状態では、昇降軸２１の上端に結合された支持栓２２に２つが上げられる場合に、蓋３０に穿孔された抽出孔３１と昇降軸の支持栓２２が１：１に対応されるようになってガムの抽出が容易でないという短所があった。
【０００６】
また、このような昇降軸２１が外部ボトル２０と一体に射出成型される場合に、内部ボトル１０に収納されているガムが湿気によって損傷されることを防止するために、昇降軸に吸湿剤を収容するために、昇降軸２１が所定間隔に切開されて切開片２１ａに形成される場合に、プラスチックの特性の上、成型の時、冷却過程で内側に曲がるか、またはよじれによる撓みが発生されて、正確に直立される昇降軸の具現が困難であった。
【０００７】
また、内部ボトル１０が外部ボトル２０の昇降軸に沿って繰り返し的に上下に昇降される場合に真空が発生されて、柔らかい作用が不可能になるとともに、成型の時、成型時間が多く所要される。
【０００８】
また、保管や運送の時、容器の密閉のための蓋３０が内部ボトルと外部ボトルに同時に結合されていることから、外部ボトル２０の昇降軸２１が蓋３０の抽出孔３１を形成する切取栓３２を加圧して、切取栓を容易に切り取るための切開線がよじられたり、昇降軸が曲げられたり、またはこのような加圧によって栓３２に形成された手引き部３４を引く時、切取栓が切り取られず、手引き部がよじれるなどの問題点が発生される。
【０００９】
即ち、昇降軸は内部ボトルが外部ボトルで上下昇降によって引き出されるガムを容易に取り上げるようにするために、昇降軸の支持栓が蓋の切取栓が除去された状態で抽出孔の上側に若干露出されることから蓋の切取栓を圧迫することになる。
【発明の概要】
【発明が解決しようとする課題】
【００１０】
従って、本発明はこのような従来の上下に昇降されるガムボトルの問題点を解決するために創出されたものである。
【課題を解決するための手段】
【００１１】
このために、昇降軸が昇降される蓋の抽出孔の内側に傾くように形成された傾斜翼を形成して、それぞれ分離された状態に具現して、内部ボトルが昇降されながら、昇降軸の上端にガムが上げられながら上昇する場合に、傾斜翼によってガムが一つずつ昇軸軸の上端に置かれるようにしたものである。
【００１２】
また、上記昇降軸を複数の切開片にして、昇降軸の内部に吸湿剤を挿入するようにしながら、同時に上記切開片が離間されるようにすることで発生されるよじれや撓みを防止するために、それぞれの切開片の中央部分は薄く形成して、成型の時の冷却の均一性を改善するようにして、直立性を向上するようにしたものである。
【００１３】
また、内部ボトルが外部ボトルの昇降軸で繰り返し的に容易に上下に昇降しながら成型を容易にするために、内部ボトルの支持面に通気孔を穿孔するようにしたものである。
【００１４】
また、蓋を密閉するための切取栓のよじれを容易にしながら、欠点の発生を減らすために、切取栓を蓋の基本面より若干突出するように形成し、手引き部が切取栓を切り取るようになる連結部には溝を形成して手引き部の引く時、切取栓の切取が容易になるようにしたものである。
【発明の効果】
【００１５】
従って、本発明はガムの引き出しが一つずつ正確に引き出され、また流通過程で容器が損なわれることがないとともに、作動及び成型の容易性を提供することができる。
【図面の簡単な説明】
【００１６】
【図１】本発明の組み立て構造を示す分解斜視図である。
【図２】本発明の蓋に昇降軸が密着された状態の断面図である。
【図３】本発明の蓋の裏面斜視図である。
【図４】本発明の内部ボトルの底面の裏面斜視図である。
【図５】本発明の作動状態断面図である。
【図６】本発明の使用開始のための操作図である。
【図７】従来のガム抽出容器の作動状態図である。
【発明を実施するための形態】
【００１７】
本発明は内部ボトル１０が外部ボトル２０の昇降軸２１に結合されて上下に昇降され、上記昇降軸２１の上端には支持栓２２が結合され、その上端にガムが一つずつ上げられ、上げられたガムは、内部ボトル１０と緊密に結合された蓋３０に穿孔された抽出孔３１から露出され、上記昇降軸２１は外部ボトル２０と一体に射出成型され、内部ボトル１０に収納されたガムに発生される湿気を取り除くために吸湿剤が収容可能になるように、上記昇降軸２１は所定間隔で切開空間を有するようにそれぞれの切開片２１ａに形成されて、その内部に吸湿剤が収容され、上記昇降軸の上端には着脱可能な支持栓を結合して支持栓によって内部ボトルが任意に離脱しなくなり、上記昇降軸２１を構成するそれぞれの切開片２１ａは切開された部分の辺は厚く形成され、その中央は薄く形成されることを特徴とする。
【００１８】
まず、本発明の物品に対する基本構造は、図７に示すように、内部ボトル１０にガムが収納された状態で、外部ボトル２０の昇降軸２１に結合されて上下に昇降され、上記昇降軸２１の上端には支持栓２２が結合されて内部ボトルが外部ボトルの昇降軸に結合されて上下に昇降される場合に離脱されることを防止しながら、その上端にガムが一つずつ上げられるようになり、上げられたガムは内部ボトル１０と緊密に結合された蓋３０に穿孔された抽出孔３１で露出される構造である。
【００１９】
また、外部ボトル２０の昇降軸２１に上下に昇降される内部ボトル１０には、ガムを支える湾曲された形状を有する支持面１１と、昇降の時、左右遊動を防止するための所定面積を有する昇降面１２が形成される。
【００２０】
また、図６に示すように、蓋３０の抽出孔３１は切開線３２ａによって切り取られるように、手引き部３４を有する切取栓３２によって塞がられた状態で、蓋３０と一緒に成型される。
【００２１】
この時、本発明では、図１に示すように、上記昇降軸２１は外部ボトル２０と一体に射出成型され、内部ボトル１０に収納されたガムに発生される湿気を取り除くために吸湿剤が収容できるように、上記昇降軸２１は所定間隔に切開空間を有するように複数の切開片２１ａに形成され、その状態で、上記昇降軸２１の上端には支持栓２２を結合するために結合段差２１ｂが形成される。
【００２２】
この時、上記昇降軸２１を構成するそれぞれの切開片２１ａは、切開された部分の左右辺は厚く形成され、その中央は薄く形成されて、射出成型の容易性、及び内部ボトルの昇降面１２との摩擦面積を減少させることによって、上下昇降の容易性を提供する。
【００２３】
また、図４に示すように、上記昇降軸２１に結合されて昇降する内部ボトル１０の支持面１１は傾斜して形成されて、内部ボトル１０に収納されたガムが自重によって自然に落ちるようにし、同時に傾斜された部分が湾曲されながら昇降孔１３の枠には若干上昇されていることで落ちるガムが昇降孔１３で全部中央に集るようになる現象を防止し、上記支持面１１には複数の貫通孔１１ａを形成して、成型の容易性はもちろん、外部ボトル２０の昇降軸２１で上下昇降の時に空気圧による問題点を解消する。
【００２４】
また、上記昇降面１２はその厚さを内部ボトル１０を構成する厚さより厚く形成し、同時に昇降面と内部ボトルの支持面１１の裏面には補強骨材１４を形成することで外部ボトル２０と結合されて、ガムが収容された状態で長期間保管中に昇降面１２が収縮によって昇降されなくなる問題点を解消することができ、且つ形態の変形が発生されないようにすることで昇降の容易性を提供する。
【００２５】
また、図２及び図６に示すように、上記内部ボトル１０に結合されられる蓋２０は外部ボトル２０とも結合されて気密が保持され、且つ使用の時、開封枠３７を取り除くことで外部ボトル２０と内部ボトル１０が分離されて上下に昇降するようにし、この時、内部ボトル１０と蓋３０との結合は気密が保持可能な状態で結合構成される。
【００２６】
また、この状態で、内部ボトル１０が外部ボトル２０の内部で昇降されながら、ガムを一つずつ引き出すためには、蓋３０の上端に形成される抽出孔３１も切開線３２ａが形成される切取栓３２も蓋３０の上面より若干突出され、同時に上記切取栓３２を切り取る手引き部３４を引く時、切開線３２ａを容易に切り取るように、手引き部３４の切開線３２ａと連結される連結部３３には切開溝３５を形成することで、手引き部３４を引く場合に、切開溝３５が窄みながら切開線３２ａを先に引くようにすることで切開線３２ａのよじれが容易になって、手引き部３４の損傷を防止する。
【００２７】
また、図３及び図５に示すように、蓋３０の抽出孔３１の内側に傾斜するように形成された傾斜翼３６をそれぞれ分離された状態に具現して、内部ボトル１０が昇降されながら、特に内部ボトルにガムが完全に収納された状態で、昇降軸の上端にガムが複数個上げられて上昇する場合に、このような傾斜翼３６によってガムが一つずつのみ昇降軸の上端に置かれるようにすることで、ガムを正確に引き出すことが可能になる。
【符号の説明】
【００２８】
１０：内部ボトル  
１１：支持面
１１ａ：貫通孔  
１２：昇降面
１３：昇降孔  
１４：補強骨材
２０：外部ボトル  
２１：昇降軸
２１ａ：切開片  
２１ｂ：結合段差
２２：支持栓
３０：蓋  
３１：抽出孔
３２：切取栓  
３２ａ：切開線
３３：連結部  
３４：手引き部
３５：切開溝  
３６：傾斜翼
【図１】
0005619886.tif 000002
【図２】
0005619886.tif 000003
【図３】
0005619886.tif 000004
【図４】
0005619886.tif 000005
【図５】
0005619886.tif 000006
【図６】
0005619886.tif 000007
【図７】
0005619886.tif 000008